(57)【要約】【課題】処理時間の短縮を可能にし、処理効率の向上を実現した帳票情報処理システムおよび方法を提供する。【解決手段】イメージ入力部１１により取得される帳票２の情報に不読部分が存在する場合、補正処理部１４で補正処理を行い、補正処理した情報をベリファイ処理部１５でベリファイ処理する帳票情報処理システムであって、スキャナー１１１で読み取られた帳票１２のイメージデータが横倒し状態でイメージファイル１３１に記憶された場合、補正処理部１４の表示部１４３での表示画像を回転操作して正立状態に修正し、この状態で補正処理をした補正済み情報に回転情報を付加してデータベース１３に記憶し、ベリファイ処理部１５の表示部１５３ではデータベース１３より補正済み情報とともに読み出された回転情報に基づいて正立状態に修正された画像を表示する。【選択図】      図１
2008090538.tif 000002
【特許請求の範囲】
【請求項１】
帳票より取得した情報を記憶する記憶手段と、
前記記憶手段の情報を表示する表示手段、該表示手段に表示される前記情報の画像を回転制御する画像回転制御手段、前記表示手段に表示される前記情報の補正処理を実行するとともに、補正済み情報に前記画像回転制御手段による画像回転に応じた回転情報を付加して前記記憶手段に記憶させる制御手段を有する補正処理手段と、
前記記憶手段の補正済み情報を表示する表示手段、該表示手段に表示される前記補正済み情報の画像を前記回転情報に基づいて回転制御する画像回転制御手段、該画像回転制御手段により回転され前記表示手段に表示された補正済み情報のベリファイ処理を実行する制御手段を有するベリファイ処理手段と
を具備したことを特徴とする帳票情報処理システム。
【請求項２】
さらに、前記帳票上のイメージデータを取得するスキャナーと、前記イメージデータからコードデータを取得する光学式文字認識装置を有するイメージ入力手段を備え、前記記憶手段は、前記スキャナーにより取得されるイメージデータを記憶するイメージファイルと、前記光学式文字認識装置により取得されるコードデータを記憶するコードファイルを有することを特徴とする請求項１記載の帳票情報処理システム。
【請求項３】
前記画像の回転情報は、前記画像回転制御手段による画像の回転角度に対応して回転情報を記憶したテーブルより取得されることを特徴とする請求項１又は２記載の帳票情報処理システム。
【請求項４】
記憶手段に記憶された帳票より取得した情報を補正処理部で補正処理し、該補正処理した情報をベリファイ処理部でベリファイ処理する帳票情報処理システムに適用され、
前記記憶手段の情報を表示手段に表示し、該表示される前記情報の画像を所定角度回転させ、前記情報の補正処理を実行するとともにも、補正済み情報に前記画像回転に応じた回転情報を付加して前記記憶手段に記憶させる補正処理ステップと、
前記記憶手段の補正済み情報を読み出し、前記回転情報に基づいて表示手段に表示される前記補正済み情報の画像を回転させ、該回転表示された情報についてベリファイ処理を実行するベリファイ処理ステップと
を有することを特徴とする帳票情報処理方法。
【発明の詳細な説明】
【技術分野】
【０００１】
本発明は、例えば、金融機関などに用いられる帳票情報処理システム及び方法に関するものである。
【背景技術】
【０００２】
最近、銀行などの金融機関では、例えば、税金納付書などの帳票に記載された文字などの情報を光学式文字認識装置（ＯＣＲ）などで読み取り電子データ化し、電子ファイルやデータベースとして保存する帳票情報処理システムが用いられている。
【０００３】
このようなシステムでは、帳票上の情報を全て正しく読み取れた場合は、この読み取った情報を正読情報として、次の処理工程に送り出すようにしている。しかし、正しく読み取れない不読部分が存在する情報については、補正処理部に転送してオペレータにより不読部分の補正処理を行い、さらに、この補正処理したものをベリファイ処理部に送り、他のオペレータにより補正部分に誤りがないかを検査するベリファイ処理を行ったのち、次の処理工程に送り出すようにしている。
【０００４】
図６は、このような処理をさらに説明するための図で、イメージ入力部１で読み取られる帳票上の情報は、データベース２に記憶される。この場合、データベース２は、イメージ入力部１で読み取られた帳票上の情報として、帳票面のイメージデータと、イメージデータから切り出した文字パターンを文字認識したコードデータを一緒に記憶している。データベース２中の正しく読み取れない不読部分が存在する情報は、補正処理のため補正処理部３に読み出される。この場合、補正処理部３では、イメージ画像とともに、文字認識されたコードデータが対応して表示部上に表示される。オペレータは、表示部上のイメージ画像を参照して正しく読み取れない文字などを確認し、キーを操作して正しい文字に入力する。そして、補正処理した情報は、再びデータベース２に記憶される。次に、データベース２に記憶された補正済み情報は、再度読み出され、ベリファイ処理部４に送られる。ベリファイ処理部４では、他のオペレータが表示部上に表示される情報を参照して補正した部分に誤りがないか検査する。そして、ベリファイ処理した情報は、再びデータベース２に戻され記憶される。
【０００５】
ところで、金融機関で取り扱う、例えば税金納付書などは、納付期限が迫る時期に集中する傾向があり、このため、このような帳票の読み取り処理は、短い時間内に大量に処理できることが要求されている。そこで、従来では、作業能率を考慮し、イメージ入力部のスキャナーでの帳票面の読み取り時間を短くするため、スキャナーに対して帳票の搬送距離が短くなる方向に帳票を搬送させるようにしている。つまり、帳票上の縦書き又は横書きの文字列に関係なく、帳票の長手方向の端部を先頭にして帳票を搬送させるようにしている。
【０００６】
このようにすると、例えば、イメージ入力部１で読み取られる帳票面のイメージデータは、図６のａ１に示すように正立状態でなく横倒しの状態でデータベース２に記憶されることがある。この場合、補正処理の際に補正処理部３に読み出され表示部に表示される画像も同図のａ２に示すように横倒し状態となる。しかし、この状態ではオペレータによる補正作業に支障をきたすため、通常はオペレータの操作により、表示画像を回転させて同図のａ３に示すように正立状態に修正し、この状態で補正処理を行うようにしている。
【０００７】
ところが、ここでの表示画像の表示方向の変更は、表示部が有する画面回転機能を利用しただけであるため、補正処理ののち、データベース２に戻されるイメージデータは、正立状態でない横倒し状態のままである。このため、その後にベリファイ処理のためデータベース２より補正済み情報を読み出すと、表示部に表示される画像は同図のａ４に示すように横倒し状態である。このため、オペレータは、再度表示部の画面回転機能を利用して表示画像を回転させて同図のａ５に示すように正立状態に修正し、ベリファイ処理を行う必要がある。
【０００８】
このように従来では、イメージ入力部１で読み取られる帳票面のイメージデータが、図６のａ１に示すように正立状態でなく横倒し状態でデータベース２に記憶されると、補正処理及びベリファイ処理のそれぞれについて、オペレータが表示部の画面回転機能を利用して表示画像を回転させる必要がある。しかし、このように補正処理及びベリファイ処理毎に表示画像を回転させる操作を必要とするのでは、上述したように、短時間に大量の処理が要求されるような状況では、多大な時間的損失となり、処理効率が大幅に低下するという問題が生じる。
【０００９】
特許文献１には、読み取り対象の複数種類の帳票の画像データを読み取り、各帳票を識別する特徴情報をメモリに登録しておき、個々に入力される帳票の画像データの特徴情報と予め登録されている特徴情報を照合して帳票を識別し、その結果に基づいて画像回転が必要な帳票であれば画像を回転し、メモリに格納するものが開示されている。
【特許文献１】特開２００１−７９６０号公報
【発明の開示】
【発明が解決しようとする課題】
【００１０】
ところが、特許文献１は、事前に複数種類の帳票を識別する特徴情報をメモリに登録しておかなければならないため、仮に未登録の帳票の画像データが入力された場合は、その都度、画像回転に必要な操作を行わなければならない。このため、上述したように、短時間に大量の処理が要求されるような状況下で、未登録の帳票の画像データが大量に入力されるようなことがあると、多大な時間的損失となり、処理効率が大幅に低下するという問題が生じる。このため、事前に処理の可能性のある全ての帳票について特徴情報の登録を行う必要があるが、このための作業に多大な作業時間を必要とし、また、全ての帳票について漏れなく特徴情報の登録を行うことも難しい。
【００１１】
本発明は上記事情に鑑みてなされたもので、処理時間の短縮を可能にし、処理効率の向上を実現した帳票情報処理システム及び方法を提供することを目的とする。
【課題を解決するための手段】
【００１２】
請求項１記載の発明は、帳票より取得した情報を記憶する記憶手段と、前記記憶手段の情報を表示する表示手段、該表示手段に表示される前記情報の画像を回転制御する画像回転制御手段、前記表示手段に表示される前記情報の補正処理を実行するとともに、補正済み情報に前記画像回転制御手段による画像回転に応じた回転情報を付加して前記記憶手段に記憶させる制御手段を有する補正処理手段と、前記記憶手段の補正済み情報を表示する表示手段、該表示手段に表示される前記補正済み情報の画像を前記回転情報に基づいて回転制御する画像回転制御手段、該画像回転制御手段により回転され前記表示手段に表示された補正済み情報のベリファイ処理を実行する制御手段を有するベリファイ処理手段とを具備したことを特徴としている。
【００１３】
請求項２記載の発明は、請求項１記載の発明において、さらに、前記帳票上のイメージデータを取得するスキャナーと、前記イメージデータからコードデータを取得する光学式文字認識装置を有するイメージ入力手段を備え、前記記憶手段は、前記スキャナーにより取得されるイメージデータを記憶するイメージファイルと、前記光学式文字認識装置により取得されるコードデータを記憶するコードファイルを有することを特徴としている。
【００１４】
請求項３記載の発明は、請求項１又は２記載の発明において、前記画像の回転情報は、前記画像回転制御手段による画像の回転角度に対応して回転情報を記憶したテーブルより取得されることを特徴としている。
【００１５】
請求項４記載の発明は、記憶手段に記憶された帳票より取得した情報を補正処理部で補正処理し、該補正処理した情報をベリファイ処理部でベリファイ処理する帳票情報処理システムに適用され、前記記憶手段の情報を表示手段に表示し、該表示される前記情報の画像を所定角度回転させ、前記情報の補正処理を実行するとともにも、補正済み情報に前記画像回転に応じた回転情報を付加して前記記憶手段に記憶させる補正処理ステップと、前記記憶手段の補正済み情報を読み出し、前記回転情報に基づいて表示手段に表示される前記補正済み情報の画像を回転させ、該回転表示された情報についてベリファイ処理を実行するベリファイ処理ステップとを有することを特徴としている。
【発明の効果】
【００１６】
本発明によれば、処理時間の短縮を可能にし、処理効率の向上を実現した帳票情報処理システム及び方法を提供できる。
【発明を実施するための最良の形態】
【００１７】
以下、本発明の実施の形態を図面に従い説明する。
【００１８】
(実施の形態)
図１は、本発明の一実施の形態にかかる帳票情報処理システムの概略構成を示すものである。図１において、１１はイメージ入力手段としてのイメージ入力部で、このイメージ入力部１１は、スキャナー１１１と光学式文字認識装置（ＯＣＲ）１１２を有している。スキャナー１１１は、帳票１２に対向して配置され、帳票１２側を一方向に搬送させることで帳票１２面上を光学的に走査してイメージデータを取得する。ＯＣＲ１１２は、スキャナー１１１より取得されるイメージデータから文字パターンを一文字毎切り出し、この切り出した文字パターンと不図示の認識辞書に記憶された基準文字パターンとを照合し、この照合結果から文字候補を認識し、コードデータとして出力する。
【００１９】
イメージ入力部１１には、記憶手段としてのデータベース１３が接続されている。データベース１３は、イメージファイル１３１及びコードファイル１３２を有するもので、スキャナー１１１より取得されるイメージデータをイメージファイル１３１に記憶し、ＯＣＲ１１２により取得されるコードデータをコードファイル１３２に記憶する。この場合、これらイメージファイル１３１のイメージデータとコードファイル１３２のコードデータは、関連付けて記憶される。
【００２０】
データベース１３には、補正処理手段としての補正処理部１４及びベリファイ処理手段としてのベリファイ処理部１５が接続されている。補正処理部１４は、制御部１４１、入力部１４２及び表示部１４３を有している。制御部１４１は、補正処理部１４全体の制御を行う。また、制御部１４１は、画像回転制御手段１４１ａを有している。この画像回転制御手段１４１ａは、入力部１４２からの指示により表示部１４３での表示画像を回転させる。入力部１４２は、マウス、キーボードなどを備え、補正処理のための各種情報の入力を行う。表示部１４３は、例えば液晶ディスプレイからなるもので、補正処理の際の画像など各種の情報を表示する。
【００２１】
また、ベリファイ処理部１５は、補正処理部１４と同様に、制御部１５１、入力部１５２及び表示部１５３を有している。制御部１５１は、ベリファイ処理部１５全体の制御を行う。また、制御部１５１は、画像回転制御手段１５１ａを有している。この画像回転制御手段１５１ａは、後述する回転情報に基づいて表示部１５３での表示画像を回転させる。入力部１５２は、マウス、キーボードなどを備え、ベリファイ処理のための各種情報の入力を行う。表示部１５３も、例えば液晶ディスプレイからなるもので、ベリファイ処理の際の画像など各種の情報を表示する。
【００２２】
次に、このように構成された実施の形態の作用を説明する。
【００２３】
まず、図４（ａ）に示すフローチャートが実行される。この場合、ステップ４００で、イメージ入力部１１により帳票１２のイメージデータとコードデータを取得する。イメージ入力部１１では、スキャナー１１１により一方向に搬送される帳票１２面上を光学的に走査してイメージデータを取得する。また、ＯＣＲ１１２により、スキャナー１１１より取得されるイメージデータから文字パターンを一文字毎に切り出し、この切り出した文字パターンと不図示の認識辞書に記憶された基準文字パターンとを照合し、この照合結果から文字候補を認識し、コードデータを取得する。
【００２４】
イメージ入力部１１で取得されるイメージデータとコードデータの各情報は、ステップ４０１でデータベース１３に記憶される。この場合、データベース１３では、イメージファイル１３１にイメージデータを記憶し、コードファイル１３２にコードデータを記憶する。また、これらイメージファイル１３１のイメージデータとコードファイル１３２のコードデータは、関連付けて記憶される。
【００２５】
以下、同様にして、用意された全ての帳票１２について、イメージ入力部１１によりイメージデータとコードデータを取得し、これら各情報をデータベース１３に記憶する。
【００２６】
次に、図４（ｂ）に示すフローチャートが実行される。
【００２７】
この場合、ステップ４０２で、データベース１３から最初の帳票１２のイメージデータとコードデータを読み出し、ステップ４０３で、補正処理の必要性を判断する。ここで、帳票１２より取得したコードデータに不読部分などがなく、補正処理の必要がない場合、ステップ４１２に進む。そして、全ての帳票１２について処理が終了したかを判断し、ＹＥＳならば処理を終了する。
【００２８】
一方、最初の帳票１２について、例えば、取得したコードデータに不読部分が存在し、補正処理を必要とする場合、補正処理部１４により補正処理を行う。この場合、補正処理部１４は、制御部１４１によりデータベース１３のイメージファイル１３１よりイメージデータ、コードファイル１３２よりコードデータの各情報を読み出し、これらを表示部１４３の画面上に並べて表示する(ステップ４０４)。
【００２９】
ここで、例えば、図５のｂ１に示すようにスキャナー１１１で読み取られた帳票１２のイメージデータが正立状態でなく横倒し状態でイメージファイル１３１に記憶されている場合、図５のｂ２に示すように表示部１４３には、横倒し状態の画像が表示される。
【００３０】
この状態で、オペレータは入力部１４２を操作し(ステップ４０５)、制御部１４１の画像回転制御手段１４１ａにより表示部１４３の表示画像を回転させ、図５のｂ３に示すように正立状態の画像に修正する。この場合、表示画像の回転方向は、反時計方向(右)に２７０°又は反時計方向(左)に９０°である。
【００３１】
次に、ステップ４０６で、補正処理を行う。この場合、オペレータは、表示部１４３のイメージ画像を参照し、コードデータの正しく読み取れなかった部分を確認し、入力部１４２のキーを操作して正しい文字(数字)を入力する。
【００３２】
そして、補正処理したコードデータを、イメージデータとともに再びデータベース１３に記憶させる。この場合、ステップ４０７で表示画像の回転情報を付加する。ここで、回転情報は、図３に示すように予め用意されたテーブル１７から読み出される。図示例では、回転なし「０」、右へ９０°「１」、右へ１８０°「２」、右へ２７０°「３」の各データが記憶されており、表示画像の回転角度に応じた回転情報が読み出される。上述した表示画像の回転方向が反時計方向(右)２７０°の場合、回転情報「３」が読み出される。
【００３３】
そして、ステップ４０８で、補正済みのコードデータは、イメージデータとともに、データベース１３に記憶される。この場合、データベース１３に記憶される情報は、図２に示すようにコードデータ１６１、イメージデータ１６２及び回転情報１６３より構成されており、イメージデータ１６２は、イメージファイル１３１に記憶され、コードデータ１６１は、回転情報１６３と一緒にコードファイル１３２に記憶される。図示例では、回転情報１６３として「３」が付加されている。
【００３４】
次に、データベース１３に記憶された補正済み情報を再度読み出し、ベリファイ処理を行う。ベリファイ処理部１５は、制御部１５１によりイメージファイル１３１のイメージデータとコードファイル１３２のコードデータの各情報を読み出し、これらを表示部１５３の画面上に並べて表示する(ステップ４０９)。この場合、コードファイル１３２のコードデータと一緒に上述した回転情報（「３」）１６３が読み出される。この回転情報（「３」）１６３により制御部１５１の画像回転制御手段１５１ａは、表示部１５３の表示画像を回転させ、図５のｂ４に示すように正立状態で表示させる。この場合、表示画像の回転方向は、回転情報（「３」）１６３に応じた時計方向(右)に２７０°である。
【００３５】
この状態で、ステップ４１０で、ベリファイ処理を行う。この場合、オペレータは、表示部１５３に表示されるイメージ画像とコードデータを参照して補正した部分に誤りがないか検査する。このときのベリファイ処理は、入力部１５２のキーを操作してコードデータの補正済み個所に同じ文字(数字)を入力するようにしてもよい。
【００３６】
次に、ステップ４１１に進み、ベリファイ処理済みの情報、つまりコードデータ及びイメージデータをデータベース１３に記憶する。そして、テップ４１２に進み、全ての帳票１２について処理が終了したか判断する。ここで、ＮＯならばステップ４０２に戻って、データベース１３から次の帳票１２のイメージデータとコードデータを読み出し、上述したステップ４０３以降の動作を実行する。
【００３７】
なお、スキャナー１１１で読み取られた帳票１２のイメージデータが正立状態でイメージファイル１３１に記憶されている場合、表示部１４３には、正立状態のイメージ画像が表示されるので、オペレータによる表示画像の回転操作は行わない。この場合は、ステップ４０５からステップ４１３に進み、補正処理が行われ、この結果が直ちにデータベースに記憶される。
【００３８】
したがって、このようにすれば、イメージ入力部１１により取得される帳票１２の情報に、例えば不読部分が存在する場合、補正処理部１４で補正処理を行い、さらに、補正処理した情報をベリファイ処理部１５でベリファイ処理するようにした帳票情報処理システムにおいて、スキャナー１１１で読み取られる帳票１２のイメージデータが仮に横倒し状態でイメージファイル１３１に記憶された場合、補正処理部１４の表示部１４３での表示画像を回転操作により正立状態に修正し、この状態で補正処理を行う。そして、補正済み情報に回転情報を付加してデータベース１３に記憶し、その後、ベリファイ処理部１５の表示部１５３は、データベース１３より補正済み情報とともに読み出された回転情報により回転操作され正立状態に修正された画像を表示するようにした。これにより、ベリファイ処理の際、オペレータは、補正処理時に修正された正立状態の画像をそのまま用いることができるので、ベリファイ処理で表示画像を回転させるための操作を省略することができる。このことは、処理時間の短縮を図ることがきるので、特に、短時間に大量の処理が要求されるような状況での時間的損失を大幅に低減でき、処理効率の向上を実現できる。また、特許文献１と比べても短時間に大量の処理が要求されるような状況下で、未登録の帳票の画像データが大量に入力されるような場合も、帳票の登録状況の有無に関係なく短時間に大量の処理を行うことができ、処理効率の向上を実現できる。
【００３９】
なお、本発明は、上記実施の形態に限定されるものでなく、実施段階では、その要旨を変更しない範囲で種々変形することが可能である。例えば、上述した実施の形態では、画像回転制御手段１５１ａによる表示部１５３の表示画像の回転角度は、右へ９０°、１８０°、２７０°の場合について述べたが、これら回転角度は一例であり、他の回転角度であっても良い。この場合、テーブル１７には、これら他の回転角度に対応する回転情報を用意すればよい。また、上述した実施の形態では、スキャナー１１１とＯＣＲ１１２を有するイメージ入力部１１が設けられ、スキャナー１１１によるイメージデータをイメージファイル１３１に記憶し、ＯＣＲ１１２より出力されるコードデータをコードファイル１３２に記憶するようにしているが、このようなイメージ入力部１１を省略し、予めデータベース１３に記憶されている帳票のイメージデータ及びコードデータについて補正処理及びベリファイ処理を行うようにもできる。さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００４０】
【図１】本発明の一実施の形態にかかる帳票情報処理システムの概略構成を示す図。
【図２】一実施の形態に用いられる補正処理後の情報の構成例を示す図。
【図３】一実施の形態に用いられる回転情報のテーブルの概略構成を示す図。
【図４】一実施の形態の動作を説明するためのフローチャート。
【図５】一実施の形態のイメージ画像の表示状態を説明するための図。
【図６】従来の一例のイメージ画像の表示状態を説明するための図。
【符号の説明】
【００４１】
１１…イメージ入力部、１１１…スキャナー
１１２…ＯＣＲ、１２…帳票
１３…データベース、１３１…イメージファイル
１３２…コードファイル、１４…補正処理部
１４１…制御部、１４１ａ…画像回転制御手段
１４２…入力部、１４３…表示部
１５…ベリファイ処理部、１５１…制御部
１５１ａ…画像回転制御手段、１５２…入力部
１５３…表示部、１６１…コードデータ
１６２…イメージデータ、１６３…回転情報
１７…テーブル、
【図１】
2008090538.tif 000003
【図２】
2008090538.tif 000004
【図３】
2008090538.tif 000005
【図４】
2008090538.tif 000006
【図５】
2008090538.tif 000007
【図６】
2008090538.tif 000008